(57)【要約】【課題】ロール紙のセット方向に関わらずロール紙を容易かつ確実に供給でき、ユーザーやカスタマーエンジニアの作業性の向上を図ることができるロール供給装置を提供すること。【解決手段】ロール紙を供給するロール給紙装置において、１対の給紙ローラ２，３が、相互に反対方向に回転するように、ロール紙１と隣接した位置に所定の間隔をおいて設置され、これら給紙ローラの下流側にはそれぞれロール紙搬送路４，５が形成され、該搬送路の下流側が合流路１２に形成されていることを特徴とする。【選択図】　　　図１
2004067340.tif 000002
【特許請求の範囲】
【請求項１】
ロール紙を供給するロール給紙装置において、１対の給紙ローラが、相互に反対方向に回転するように、ロール紙と隣接した位置に所定の間隔をおいて設置され、これら給紙ローラの下流側にはそれぞれロール紙搬送路が形成され、該搬送路の下流側が合流路に形成されていることを特徴とするロール給紙装置。
【請求項２】
ロール紙を供給するロール給紙装置において、正逆回転する１個の給紙ローラが、ロール紙と隣接した位置に設置され、この給紙ローラの下流側には前記給紙ローラの正回転により給紙されるロール紙及び給紙ローラの逆回転により給紙されるロール紙に共用のロール紙搬送路が形成されていることを特徴とするロール給紙装置。
【請求項３】
ロール紙を供給するロール給紙装置において、１対のロール紙搬送路が、ロール紙と隣接した位置に所定の間隔をおいて設置され、これら搬送路の下流側が合流路に形成され、この合流路に給紙ローラが設置されていることを特徴とするロール給紙装置。
【発明の詳細な説明】
【０００１】
【発明の属する技術分野】
この発明は、ロール紙を供給するロール給紙装置に関し、詳しくはロール状の用紙を任意の長さで切断して用紙を供給する装置であって、例えばコピー用紙としてロール紙を用いる画像形成装置に適用されるものである。
【０００２】
【従来の技術】
この種の給紙装置として、例えば実開平５−４１８１８号公報に開示された技術がある。これは給紙経路におけるロール紙のカール方向を、一方向に規定したロール紙供給装置において、回転可能にセットしたロール紙を、前記規定されたカール方向にのみ回転させる回転方向制御手段を設けたものである。
【０００３】
【発明が解決しようとする課題】
ところで、前記従来の給紙装置は、ロール紙のセットに双方向性をもたせて、セット方向に関わらず用紙を供給できるものではない。そのため、ロール紙の設置において、セット方向が規制されているときに誤った方向にロール紙をセットしてしまった場合、正しい方向にセットし直さなければならないという問題があった。特に、広幅複写機等大型の機器に用いる重量の重いロール紙である場合には、セットし直し作業が大変であるのに加え、作業中に誤って床に落とすと、ロール紙にダメージを与えたり、足等を負傷してしまうという問題も発生する。
【０００４】
そこでこの発明は、前記のような従来のものが有する問題点を解決し、ロール紙のセット方向に関わらずロール紙を容易かつ確実に供給でき、ユーザーやカスタマーエンジニア（ＣＥ）の作業性の向上を図ることができるロール供給装置を提供することを目的とする。
【０００５】
【課題を解決するための手段】
前記目的を達成するために、請求項１に記載の発明は、ロール紙を供給するロール給紙装置において、１対の給紙ローラが、相互に反対方向に回転するように、ロール紙と隣接した位置に所定の間隔をおいて設置され、これら給紙ローラの下流側にはそれぞれロール紙搬送路が形成され、該搬送路の下流側が合流路に形成されていることを特徴とする。前記において、１対の給紙ローラは、一方がロール紙の送り回転方向と同方向に回転し、他方がロール紙の送り回転方向と反対方向に回転するようにしてもよいし、それと逆であってもよい。
【０００６】
請求項２に記載の発明は、ロール紙を供給するロール給紙装置において、正逆回転する１個の給紙ローラが、ロール紙と隣接した位置に設置され、この給紙ローラの下流側には給紙ローラの正回転により給紙されるロール紙及び給紙ローラの逆回転により給紙されるロール紙に共用のロール紙搬送路が形成されていることを特徴とする。前記において、共用のロール紙搬送路は、給紙ローラの下流側直下のみセパレートされるようにしてもよい。
【０００７】
請求項３に記載の発明は、ロール紙を供給するロール給紙装置において、１対のロール紙搬送路が、ロール紙と隣接した位置に所定の間隔をおいて設置され、これら搬送路の下流側が合流路に形成され、この合流路に給紙ローラが設置されていることを特徴とする。
【０００８】
【発明の実施の形態】
この発明の実施の形態を、添付図面を参照して説明する。図１は実施の形態１の概略図を示し、１はロール紙で、このロール紙と側方に隣接した位置には上下１対の給紙ローラ２，３が、矢印で示すように相互に反対方向に回転可能に所定の間隔をおいて設置されている。給紙ローラ２，３の下流側にはロール紙搬送路４，５がガイド板６，７又は８，９によってそれぞれ形成されている。
【０００９】
給紙ローラ２に対して外側のガイド板６は、給紙ローラ２と近接した状態で、その一端がロール紙１の下方まで延設され、前記近接した小隙間が挿入口１０に形成されている。内側のガイド板７は、その一端が給紙ローラ２の近くでエンドとなっている。また、給紙ローラ３に対して外側のガイド板８は、給紙ローラ３と近接した位置で、その一端が外向きにやや屈曲され、前記近接した小隙間が挿入口１１に形成されている。内側のガイド板９は、その一端が給紙ローラ３の近くでエンドとなっている。
【００１０】
ロール紙搬送路４，５の下流側は合流路（出口）１２に形成されている。すなわち、内側のガイド板７，９は、その他端が結着し、外側のガイド板６，８は、その他端が合流路１２を形成するように延設されている。
【００１１】
前記の構成において、ロール紙１を実線で示すように下側から送るようにセットした場合、ロール紙１の一端は挿入口１０に挿入され、給紙ローラ２の回転により搬送路４を搬送され、合流路１２に達する。このとき、給紙ローラ２の回転方向とロール紙１の送り回転方向が一致するので、ロール紙１の一端をスムーズに給紙ローラ２側にもたらすことができる。一方、ロール紙１を鎖線で示すように上側から送るようにセットした場合、ロール紙１の一端は挿入口１１に挿入され、給紙ローラ３の回転により搬送路５を搬送され、合流路１２に達する。このとき、給紙ローラ３の回転方向とロール紙１の送り回転方向が一致するので、ロール紙１の一端をスムーズに給紙ローラ３側にもたらすことができる。
【００１２】
前記のようにロール紙１をいずれの向きにセットした場合でも、従来のようにロール紙のセットし直しをする必要がなく、セットしたロール紙１からの給紙が可能となる。
【００１３】
図２は実施の形態２の概略図を示し、２１はロール紙で、このロール紙と側方に隣接した位置には１個の給紙ローラ２２が、矢印で示すように正逆回転可能に設置され、この給紙ローラ２２の下流側には給紙ローラ２２の正回転により給紙されるロール紙及び給紙ローラ２２の逆回転により給紙されるロール紙に共用のロール紙搬送路２４が、ガイド板２６，２７，２８によって形成されている。
【００１４】
ガイド板２６は、給紙ローラ２２と近接した位置で、その一端がロール紙２１の下方まで延設され、前記近接した小隙間が挿入口３０に形成されている。ガイド板２７は、その一端が給紙ローラ２２と近接した位置でエンドとなって外向きにやや屈曲され、前記近接した小隙間が挿入口３１に形成されている。ガイド板２８は給紙ローラ２２の下流側直下のみセパレートするもので、ガイド板２６，２７の中間に配設されている。共用のロール紙搬送路２４を形成するガイド板２６，２７の他端側には出口３４が形成されている。
【００１５】
前記の構成において、ロール紙２１を実線で示すように下側から送るようにセットした場合、ロール紙２１の一端は挿入口３０に挿入され、給紙ローラ２２の正（時計方向）回転により搬送路２４を搬送され、出口３４に達する。このとき、給紙ローラ２２の回転方向とロール紙２１の送り回転方向が一致するので、ロール紙２１の一端をスムーズに給紙ローラ２２側にもたらすことができる。一方、ロール紙２１を鎖線で示すように上側から送るようにセットした場合、ロール紙２１の一端は挿入口３１に挿入され、給紙ローラ２２の逆（反時計方向）回転により搬送路２４を搬送され、出口３４に達する。このときも、給紙ローラ２２の回転方向とロール紙２１の送り回転方向が一致するので、ロール紙２１の一端をスムーズに給紙ローラ２２側にもたらすことができる。このように実施の形態２においても実施の形態１と同様な作用効果を期待できる。
【００１６】
図３は実施の形態３の概略図を示し、４１はロール紙で、このロール紙と側方に隣接した位置には１対のロール紙搬送路４２，４３が、ガイド板４４，４５又は４６，４７によって、該ロール紙と隣接した位置に、上下に所定の間隔をおいて設置されている。
【００１７】
ガイド板４４は、その一端がロール紙４１の下方まで延設され、ガイド板４５は、その一端がロール紙４１の所定長さ手前でエンドとなって外向きにやや屈曲しており、該ガイド板４５の一端とガイド板４４で形成する小隙間が挿入口５０に形成されている。ガイド板４６及びガイド板４７は、それぞれの一端がロール紙４１の所定長さ手前でエンドとなって外向きにやや屈曲しており、該ガイド板４６，４７の一端で形成する小隙間が挿入口５１に形成されている。
【００１８】
ロール紙の搬送路４２，４３の下流側は合流路（出口）５４に形成されている。すなわち、内側のガイド板４５，４６は、その他端が結着し、外側のガイド板４４，４７は、その他端が合流路５４を形成するように延設されている。そして合流路５４の開始部には給紙ローラ５５が矢印方向に回転可能に設置されている。
【００１９】
前記の構成において、ロール紙４１を実線で示すように下側から送るようにセットした場合、ロール紙４１の一端は挿入口５０に挿入され、搬送路４２を経て給紙ローラ５５により搬送され、合流路５４に達する。このとき、給紙ローラ５５の回転方向とロール紙４１の送り回転方向が一致するので、ロール紙４１の一端をスムーズに給紙ローラ５５側にもたらすことができる。一方、ロール紙４１を鎖線で示すように上側から送るようにセットした場合、ロール紙４１の一端は挿入口５１に挿入され、搬送路４３を経て給紙ローラ５５により搬送され、合流路５４に達する。このときも、給紙ローラ５５の回転方向とロール紙４１の送り回転方向が一致するので、ロール紙４１の一端をスムーズに給紙ローラ５５側にもたらすことができる。このように実施の形態３においても実施の形態１，２と同様な作用効果を期待できる。
【００２０】
実施の形態１，２，３は一例を示したにすぎず、各実施の形態において細部の事項は、実際の実施に際して請求項に記載した技術的事項の範囲内で種々に変更や修正ができることは言うまでもない。例えば、実施の形態１において、給紙ローラ２，３の回転方向を図示とは逆とし、それと対応して搬送路４，５の挿入口１０，１１の位置を変更したり、実施の形態２において、ガイド板２８を省略したり、実施の形態３において、給紙ローラ５５の位置をもう少し下流側にしたり、合流路５４の反対側に配置したりすることは任意である。
【００２１】
【発明の効果】
請求項１ないし３の発明は、前記のような構成からなるので、ロール紙のセット方向に関わらず、すなわち従来のようなセットし直しという面倒な作業を行う必要がなく、ロール紙を容易かつ確実に供給でき、ユーザーやカスタマーエンジニアの作業性の向上を図ることができる。したがって、重量の重いロール紙である場合に、従来起きていたセットし直し作業中の落下事故もなくすことができる等の優れた効果がある。
【図面の簡単な説明】
【図１】この発明の実施の形態１を示す概略図である。
【図２】実施の形態２を示す概略図である。
【図３】実施の形態３を示す概略図である。
【符号の説明】
１　ロール紙　　　　　　　　　　　　　　２，３　給紙ローラ
４，５　ロール紙搬送路　　　　　　　　　６，７，８，９　ガイド板
１０，１１　挿入口　　　　　　　　　　　１２　合流路（出口）
２１　ロール紙　　　　　　　　　　　　　２２　給紙ローラ
２４　共用のロール紙搬送路　　　　　　　２６，２７，２８　ガイド板
３０，３１　挿入口　　　　　　　　　　　３４　出口
４１　ロール紙　　　　　　　　　　　　　４２，４３　ロール紙搬送路
４４，４５，４６，４７　ガイド板　　　　５０，５１　挿入口
５４　合流路（出口）
【図１】
2004067340.tif 000003
【図２】
2004067340.tif 000004
【図３】
2004067340.tif 000005